(57)【要約】  本発明は、ｘＤＳＬトランシーバー（１−１、１−２）間のデータ伝送連結を確立するための方法に関するものであり、次のステップから成る。即ち、第１のｘＤＳＬトランシーバー（１−１）のエコー消去回路（２１−１）が設定されるまで、前記第１のｘＤＳＬトランシーバー（１−１）によって第２のｘＤＳＬトランシーバー（１−２）へエコー調整信号（ＷＥＣＬ）を送出し、前記第２のｘＤＳＬトランシーバー（１−２）は前記エコー調整信号（ＷＥＣＬ）に同期して、前記第２のｘＤＳＬトランシーバー（１−２）は送出しない。第１の同期信号（ＷＳＬ）が前記エコー調整信号（ＷＥＣＬ）と異なる場合、前記第１のｘＤＳＬトランシーバー（１−１）によって前記第２のｘＤＳＬトランシーバー（１−２）に前記第１の同期信号（ＷＳＬ）を送出して、前記第２のｘＤＳＬトランシーバー（１−２）を同期させる。前記第２のｘＤＳＬトランシーバー（１−２）が前記第１の同期信号（ＷＳＬ）に完全に同期し、そして前記第１の同期信号がそれとして検出されたとき、前記第２のｘＤＳＬトランシーバー（１−２）によって前記第１のｘＤＳＬトランシーバー（１−１）に第２の同期信号（ＷＳＮ）を送出して、前記第１のｘＤＳＬトランシーバー（１−１）を同期させ、前記第２のｘＤＳＬトランシーバー（１−２）のエコー消去回路（２１−２）が設定されるまで、前記第２の同期信号（ＷＳＮ）は、前記第２のｘＤＳＬトランシーバー（１−２）によって前記第１のｘＤＳＬトランシーバー（１−１）に送出される。前記第２のｘＤＳＬトランシーバー（１−２）によって前記第１のｘＤＳＬトランシーバー（１−１）に第１の指示信号（ＷＯＫＮ）を送出し、前記第１の指示信号（ＷＯＫＮ）は、前記第１のｘＤＳＬトランシーバー（１−１）に対して前記第２のｘＤＳＬトランシーバー（１−２）の前記エコー消去回路（２１−２）が設定され、かつ、前記第２のｘＤＳＬトランシーバー（１−２）が同期されたことを示す。そして、前記第１のｘＤＳＬトランシーバー（１−１）によって前記第２のｘＤＳＬトランシーバー（１−２）に第２の指示信号（ＷＯＫＬ）を送出し、前記第２の指示信号（ＷＯＫＬ）は、前記第１のｘＤＳＬトランシーバー（１−１）が前記第１の指示信号（ＷＯＫＮ）を受信したとき、前記第２のｘＤＳＬトランシーバー（１−２）に対して前記第１のｘＤＳＬトランシーバー（１−１）が同期されたことを示す。
2005515711.tif 000002
【特許請求の範囲】
【請求項１】
ｘＤＳＬトランシーバー（１−１、１−２）間のデータ伝送連結を確立するための方法において、
ａ）第１のｘＤＳＬトランシーバー（１−１）のエコー消去回路（２１−１）が設定されるまで、前記第１のｘＤＳＬトランシーバー（１−１）によって第２のｘＤＳＬトランシーバー（１−２）へエコー調整信号（ＷＥＣＬ）を送出し、前記第２のｘＤＳＬトランシーバー（１−２）は前記エコー調整信号（ＷＥＣＬ）に同期して、前記第２のｘＤＳＬトランシーバー（１−２）は送出しないで、
ｂ）第１の同期信号（ＷＳＬ）が前記エコー調整信号（ＷＥＣＬ）と異なる場合、前記第１のｘＤＳＬトランシーバー（１−１）によって前記第２のｘＤＳＬトランシーバー（１−２）に前記第１の同期信号（ＷＳＬ）を送出して、前記第２のｘＤＳＬトランシーバー（１−２）を同期させ、
ｃ）前記第２のｘＤＳＬトランシーバー（１−２）が前記第１の同期信号（ＷＳＬ）に完全に同期し、そして前記第１の同期信号がそれとして検出されたとき、前記第２のｘＤＳＬトランシーバー（１−２）によって前記第１のｘＤＳＬトランシーバー（１−１）に第２の同期信号（ＷＳＮ）を送出して、前記第１のｘＤＳＬトランシーバー（１−１）を同期させ、前記第２のｘＤＳＬトランシーバー（１−２）のエコー消去回路（２１−２）が設定されるまで、前記第２の同期信号（ＷＳＮ）は、前記第２のｘＤＳＬトランシーバー（１−２）によって前記第１のｘＤＳＬトランシーバー（１−１）に送出され、
ｄ）前記第２のｘＤＳＬトランシーバー（１−２）によって前記第１のｘＤＳＬトランシーバー（１−１）に第１の指示信号（ＷＯＫＮ）を送出し、前記第１の指示信号（ＷＯＫＮ）は、前記第１のｘＤＳＬトランシーバー（１−１）に対して前記第２のｘＤＳＬトランシーバー（１−２）の前記エコー消去回路（２１−２）が設定され、かつ、前記第２のｘＤＳＬトランシーバー（１−２）が同期されたことを示し、そして
ｅ）前記第１のｘＤＳＬトランシーバー（１−１）によって前記第２のｘＤＳＬトランシーバー（１−２）に第２の指示信号（ＷＯＫＬ）を送出し、前記第２の指示信号（ＷＯＫＬ）は、前記第１のｘＤＳＬトランシーバー（１−１）が前記第１の指示信号（ＷＯＫＮ）を受信したとき、前記第２のｘＤＳＬトランシーバー（１−２）に対して前記第１のｘＤＳＬトランシーバー（１−１）が同期されたことを示すことを特徴とする方法。
【請求項２】
残余エコー信号が閾値以下に低下するまで前記エコー消去回路（２１）が調整されることを特徴とする請求項１記載の方法。
【請求項３】
前記第１のｘＤＳＬトランシーバー（１−１）が前記エコー調整信号（ＷＥＣＬ）を送出している限り、前記第２のｘＤＳＬトランシーバー（１−２）が信号を送出しないことを特徴とする請求項１又は２記載の方法。
【請求項４】
前記第２のｘＤＳＬトランシーバー（１−２）のイコライザー（３３−２）が前記第１の同期信号（ＷＳＬ）によって調整され、そして前記第１のｘＤＳＬトランシーバー（１−１）のイコライザー（３３−１）が前記第２の同期信号（ＷＳＮ）によって調整されることを特徴とする先の請求項１乃至３のいずれか１項に記載の方法。
【請求項５】
前記伝送信号（ＷＥＣＬ、ＷＳＬ、ＷＳＮ、ＷＯＫＮ、ＷＯＫＬ）を発生させるために、前記ｘＤＳＬトランシーバー（１−１、１−２）が、各場合において対応するデジタル信号データ・シーケンスを供給され、前記デジタル信号データ・シーケンスは、前記ｘＤＳＬトランシーバーのスクランブラー（１３）によってスクランブルされ、前記ｘＤＳＬトランシーバーのマッピング・ユニット（１５）によってマップされ、前記ｘＤＳＬトランシーバーの符号器（１７）によって符号化され、前記ｘＤＳＬトランシーバーのデジタル／アナログ変換器（１９）によって変換され、そして前記ｘＤＳＬトランシーバーの駆動
回路（２３）によって、データ伝送線（２６）を介して伝送される前記伝送信号に増幅されることを特徴とする請求項１乃至４のいずれか１項に記載の方法。
【請求項６】
各場合においてデータ伝送線によってｘＤＳＬトランシーバーから受信され、前記ｘＤＳＬトランシーバーの駆動回路によって増幅されたアナログ信号（ＷＥＣＬ、ＷＳＬ、ＷＳＮ、ＷＯＫＮ、ＷＯＫＬ）は、前記ｘＤＳＬトランシーバーのデジタル／アナログ変換器（１９）によってデジタル信号に変換され、前記ｘＤＳＬトランシーバーのエコー消去回路（２１）によって消去されたエコーを有しており、前記ｘＤＳＬトランシーバーのイコライザー（３３）により等化され、そして前記ｘＤＳＬトランシーバーのデスクランブラー（３７）によってデスクランブルされることを特徴とする請求項１乃至５のいずれか１項に記載の方法。
【請求項７】
前記エコー調整信号（ＷＥＣＬ）及び前記第１の同期信号（ＷＳＬ）が異なる信号データ・シーケンスから発生されることを特徴とする請求項１乃至６のいずれか１項に記載の方法。
【請求項８】
前記ｘＤＳＬトランシーバーが、暖始動要求信号を受信した後、待機状態からデータ伝送動作状態に移行されることを特徴とする請求項１乃至７のいずれか１項に記載の方法。
【請求項９】
データ伝送動作状態に移行された前記ｘＤＳＬトランシーバーが、前記データ伝送線を介して他方のｘＤＳＬトランシーバーに最初に目覚信号（ＷＵＮ、ＷＵＬ）を送出し、その他方のｘＤＳＬトランシーバーを待機状態からデータ伝送動作状態に移行させることを特徴とする請求項８に記載の方法。
【請求項１０】
両方のｘＤＳＬトランシーバー（１−１、１−２）がデータ伝送動作状態に移行されたとき、前記データ伝送連結が確立することを特徴とする請求項１乃至９のいずれか１項に記載の方法。
【請求項１１】
前記同期シーケンスの後、前記データ伝送線（２６）を介して前記ｘＤＳＬトランシーバー（１−１、１−２）間に使用者データが伝送されることを特徴とする請求項１乃至１０のいずれか１項に記載の方法。
【請求項１２】
前記信号データが各々の場合にトムリンソン符号で符号化されることを特徴とする請求項１乃至１１のいずれか１項に記載の方法。
【請求項１３】
前記２つの同期信号（ＷＳＬ、ＷＳＮ）及び前記２つの指示信号（ＷＯＫＮ、ＷＯＫＳ）が反復可能な同期シーケンスを形成することを特徴とする請求項１乃至１２のいずれか１項に記載の方法。
【請求項１４】
デジタル使用者データを受信するための信号入力端子（２）と、
信号データを発生するための信号発生器（８）と、
制御信号に依存して前記発生した信号データ又は前記デジタル使用者データを切り替えるための制御可能なマルチプレクサー（３）と、
前記マルチプレクサーによって切り替えられたデータをスクランブルするためのスクランブラー（１３）と、
前記スクランブルされたデータをマップするためのマッピング・ユニット（１５）と、
前記マップされたデータを符号化するための符号器（１７）と、
前記符号化されたデータをアナログ伝送信号に変換するためのデジタル／アナログ変換器（１９）と、
データ伝送線（２６）を介してｘＤＳＬトランシーバー（１）を遠隔のｘＤＳＬトラン
シーバーに接続するためのハイブリッド回路（２５）と、
アナログ信号をデジタル信号に変換するためのアナログ／デジタル変換器（２８）と、
目覚信号を検出するための検出回路（４０）と、
前記デジタル信号に同期させるための同期回路（３５）と、
前記デジタル信号におけるエコー信号を消去するためのエコー消去回路（２１）と、
前記デジタル信号を等化するためのイコライザー（３３）と、
前記等化したデジタル信号をデスクランブルするためのデスクランブラー（３７）と、
制御器（１０）と、
を備え、
前記制御器（１０）は、目覚信号が前記検出回路（４０）によって検出された後又は暖始動要求信号が受信された後、エコー調整信号（ＷＥＣＬ）がｘＤＳＬトランシーバー（１）によって前記データ伝送線（２６）を介して送出されるように、前記符号器（１７）を制御し、
前記制御器（１０）は、前記エコー消去回路（２１）の設定を示す第１の指示信号（ＷＥＣＯＫ）を前記エコー消去回路（２１）から受信した後、発生した同期データ・シーケンスが前記スクランブラー（１３）に切り替えられるように、前記マルチプレクサー（３）を駆動し、前記同期データ・シーケンスは、前記ｘＤＳＬトランシーバー（１）によって前記データ伝送線（２６）を介して同期信号（ＷＳＬ）として送出され、前記遠隔ｘＤＳＬトランシーバーを同期させ、
前記制御器（１０）は、前記同期回路（３５）の受信デジタル信号との同期を示す第２の指示信号（ＷＳＹＮＣＯＫ）を前記同期回路（３５）から受信した後、そして前記イコライザー（３３）の設定を示す第３の指示信号（ＷＥＱＯＫ）を前記イコライザー（３３）から受信した後、発生した同期データ・シーケンスが前記スクランブラー（１３）に切り替えられるように、前記マルチプレクサー（３）を駆動し、前記同期データ・シーケンスは、前記ｘＤＳＬトランシーバー（１）によって前記データ伝送線（２６）を介して前記遠隔ｘＤＳＬトランシーバーに指示信号（ＷＯＫ）として送出され、そして前記遠隔ｘＤＳＬトランシーバーに対して前記ｘＤＳＬトランシーバー（１）は使用者データのデータ伝送の用意ができていることを示すことを特徴とするｘＤＳＬトランシーバー。
【発明の詳細な説明】
【技術分野】
【０００１】
本発明は、最小の暖始動（Ｗａｒｍｓｔａｒｔｚｅｉｔｄａｕｅｒ）期間でｘＤＳＬトランシーバー間のデータ伝送連結を確立するための方法に関する。
【背景技術】
【０００２】
図１は、従来技術によるデータ伝送システムを示す。スイッチ端末ＬＴＵ（ライン終端ユニット）におけるトランシーバーと加入者端末ＮＴＵ（ネットワーク終端ユニット）におけるトランシーバーとの間で、信号データがデータ伝送線を介して最初に伝送され、使用者データのためにデータ伝送連結が確立される。加入者端末ＮＴＵにおけるトランシーバーは、ネットワーク操作者により顧客、即ち、加入者の建物の内に設置される接続ソケットである。加入者端末ＮＴＵにおけるトランシーバーは、データ端子、例えば、コンピュータに接続される。スイッチ端末ＬＴＵにおけるトランシーバーは、ネットワーク、例えば、電話ネットワークに接続される。原則として、データ伝送線は、銅の電話線対である。
【０００３】
データ伝送連結を確立するために、二つのトランシーバーを待機状態からデータ伝送用の動作状態にする必要がある。ｘＤＳＬデータ伝送方法では、捻ったアナログの電話線対が部分的なループ内で広帯域接続として使用される。最も周知なｘＤＳＬデータ伝送方法は、ＡＤＳＬ（非対称なＤＳＬ）、ＶＤＳＬ（超高速のデータ速度ＤＳＬ）、ＳＤＳＬ（対称的な単一対ＤＳＬ）がある。
【０００４】
冷始動（Ｋａｌｔｓｔａｒｔ）の完了及びそれに続く停止の後、二つのトランシーバーは、最初に、電力省力状態、即ち、待機状態にある。電力省力状態においては、トランシーバーは最小の電力を消費し、その結果発生した熱は最小になり、冷却は不要となる。
【０００５】
図２は、従来技術における二つのトランシーバーＬＴＵ、ＮＴＵの間の連結を詳細に示す。データ連結を確立するためには、トランシーバーは、暖始動シーケンスのもとで再作動される。
【０００６】
図３は、従来技術（特許文献１参照）による暖始動シーケンスを示す。
【０００７】
最初に、二つのトランシーバーのうちの一つが、データ伝送線を介して遠隔のトランシーバーを作動させるために目覚信号を送出する。図３に示すシーケンスおいて、加入者端末ＮＴＵにおけるトランシーバーは、スイッチ端末ＬＴＵにおけるトランシーバーに対して目覚信号ＷＷＵＮを送出する。所定の時間ＴＷＳの後、スイッチ端末ＬＴＵにおけるトランシーバーも、データ伝送線を介して加入者端末ＮＴＵのモデムに目覚信号ＷＷＵＬを送出し返す。この目覚信号で、スイッチ端末ＬＴＵのモデムが、元の目覚信号ＷＷＵＮの受信を認識する。
【０００８】
目覚シーケンスの後、伝送線検査段階で、データ伝送線のパラメーターがこの前の作動以来変化したかを決定する。この目的のため、図３に示す例において、加入者端末ＮＴＵにおけるトランシーバーは、スイッチ端末ＬＴＵにおけるトランシーバーに伝送線を介して伝送線検査信号ＷＬＰＮを送出する。スイッチ端末におけるトランシーバーは、受信した信号を評価する。所定の待機時間ＴＷＳの後、スイッチ端末ＬＴＵにおけるトランシーバーは、逆に加入者端末ＮＴＵにおけるトランシーバーに伝送線検査信号ＷＬＰＬを送出する。加入者端末ＮＴＵのモデムは、受信した信号を評価する。
【０００９】
伝送線パラメーターをチェックした後、更に別の段階でエコー信号の完全な除去が行われる。二つのトランシーバーを最後に作動した後、データ伝送線のパラメーターが変化した可能性がある。このことは、トランシーバーに関して固有の伝送信号である残余エコー信号につながる。この残余エコー信号は、遠隔のトランシーバーからの受信データ信号の検出を損なわせる場合がある。それ故、エコー信号は、所定の閾値以下になるようにエコー信号除去手段によって消去する必要がある。エコー信号を消去するために、図３に示された実施例においては、加入者端末ＮＴＵのモデムがエコー消去用の信号を送出し、スイッチ端末ＬＴＵの遠隔モデムは信号を送出しない。加入者端末ＮＴＵのモデムの内部にあるエコー消去回路は、ＷＥＣＮ信号の助けを借りて設定される。所定の待機時間ＴＷＳの後、スイッチ端末ＬＴＵのモデムも、信号ＷＥＣＬを送出して、エコー信号を消去する。この期間中、他のモデムであるＮＴＵは信号を送出しない。スイッチ端末ＬＴＵにおけるトランシーバー内のエコー消去回路は、調整信号ＷＥＣＬの助けを借りて残余エコー信号を最小にするように調整される。
【００１０】
エコー信号消去の後、二つのトランシーバー間の同期が同期シーケンスにおいて行われる。加入者端末ＮＴＵのモデムは、同期信号ＷＳＮを送出して、スイッチ端末ＬＴＵにおけるトランシーバーを同期させる。逆に、スイッチ端末ＬＴＵのモデムは、同期信号ＷＳＬを送出して、加入者端末ＮＴＵのモデムを同期させる。二つのトランシーバーが同期すると、それらのトランシーバーは、各々の場合、他方のトランシーバーに対して、同期の完了を示す指示信号を送出する。この後、使用者データは、これらのトランシーバー間で伝送される。
【００１１】
二つのトランシーバー間の暖始動に対して、暖始動時間ｔｗａｒｍ  ｓｔａｒｔができるだけ短いことが望ましい。従来技術による暖始動シーケンスにおいて、データ伝送線の検査、エコー信号の除去、及び同期が交互に又は連続して生じる。このことにおける重大な問題は、所定の最悪の場合の時間が、各々の場合、データ伝送線を検査するために、そして標準プロトコルにおけるエコー信号を除去するために与えられていて、データ伝送連結を確立していることである。この理由のために、暖始動時間は、従来技術による暖始動シーケンスにおいて相対的に長い。
【特許文献１】ドイツ国特許出願第ＤＥ１０１  ３９  ７７９．８号
【発明の開示】
【発明が解決しようとする課題】
【００１２】
それ故、本発明の目的は、データ伝送連結の確立のための時間が最小になるように、ｘＤＳＬトランシーバー間のデータ伝送連結を確立するための方法を提供することである。
【課題を解決するための手段】
【００１３】
本発明によれば、この目的は、請求項１に記載の特徴を有する方法そして請求項１４に記載の特徴を有するｘＤＳＬトランシーバーによって達成される。
【００１４】
本発明は、ｘＤＳＬトランシーバー（１−１、１−２）間のデータ伝送連結を確立するための方法に関するものであり、次のステップから成る。即ち、第１のｘＤＳＬトランシーバー（１−１）のエコー消去回路（２１−１）が設定されるまで、前記第１のｘＤＳＬトランシーバー（１−１）によって第２のｘＤＳＬトランシーバー（１−２）へエコー調整信号（ＷＥＣＬ）を送出し、前記第２のｘＤＳＬトランシーバー（１−２）は前記エコー調整信号（ＷＥＣＬ）に同期して、前記第２のｘＤＳＬトランシーバー（１−２）は送出しない。第１の同期信号（ＷＳＬ）が前記エコー調整信号（ＷＥＣＬ）と異なる場合、前記第１のｘＤＳＬトランシーバー（１−１）によって前記第２のｘＤＳＬトランシーバー（１−２）に前記第１の同期信号（ＷＳＬ）を送出して、前記第２のｘＤＳＬトランシーバー（１−２）を同期させる。前記第２のｘＤＳＬトランシーバー（１−２）が前記第
１の同期信号（ＷＳＬ）に完全に同期し、そして前記第１の同期信号がそれとして検出されたとき、前記第２のｘＤＳＬトランシーバー（１−２）によって前記第１のｘＤＳＬトランシーバー（１−１）に第２の同期信号（ＷＳＮ）を送出して、前記第１のｘＤＳＬトランシーバー（１−１）を同期させ、前記第２のｘＤＳＬトランシーバー（１−２）のエコー消去回路（２１−２）が設定されるまで、前記第２の同期信号（ＷＳＮ）は、前記第２のｘＤＳＬトランシーバー（１−２）によって前記第１のｘＤＳＬトランシーバー（１−１）に送出される。前記第２のｘＤＳＬトランシーバー（１−２）によって前記第１のｘＤＳＬトランシーバー（１−１）に第１の指示信号（ＷＯＫＮ）を送出し、前記第１の指示信号（ＷＯＫＮ）は、前記第１のｘＤＳＬトランシーバー（１−１）に対して前記第２のｘＤＳＬトランシーバー（１−２）の前記エコー消去回路（２１−２）が設定され、かつ、前記第２のｘＤＳＬトランシーバー（１−２）が同期されたことを示す。そして、前記第１のｘＤＳＬトランシーバー（１−１）によって前記第２のｘＤＳＬトランシーバー（１−２）に第２の指示信号（ＷＯＫＬ）を送出し、前記第２の指示信号（ＷＯＫＬ）は、前記第１のｘＤＳＬトランシーバー（１−１）が前記第１の指示信号（ＷＯＫＮ）を受信したとき、前記第２のｘＤＳＬトランシーバー（１−２）に対して前記第１のｘＤＳＬトランシーバー（１−１）が同期されたことを示す。
【００１５】
本発明の方法による効果は、干渉に対して非常に低い感度を示すことである。その理由は、データ伝送連結を確立するための各種のステップ、即ち、各々の場合にデータ伝送線の検査、エコー信号の除去、及び同期を二つのトランシーバーにおいて連続的に行ない、かつ、このようにして、エコー消去回路及び同期回路の調整中に相互影響の干渉を排除しているからである。
【００１６】
本発明の方法による実施例の特徴は引用項に記載されている。
【００１７】
本発明は、また、ｘＤＳＬトランシーバーに関するものであり、以下の要素から構成される。即ち、デジタル使用者データを受信するための信号入力端子（２）と、信号データを発生するための信号発生器（８）と、制御信号に依存して前記発生した信号データ又は前記デジタル使用者データを切り替えるための制御可能なマルチプレクサー（３）と、前記マルチプレクサーによって切り替えられたデータをスクランブルするためのスクランブラー（１３）と、前記スクランブルされたデータをマップするためのマッピング・ユニット（１５）と、前記マップされたデータを符号化するための符号器（１７）と、前記符号化されたデータをアナログ伝送信号に変換するためのデジタル／アナログ変換器（１９）と、データ伝送線（２６）を介してｘＤＳＬトランシーバー（１）を遠隔のｘＤＳＬトランシーバーに接続するためのハイブリッド回路（２５）と、アナログ信号をデジタル信号に変換するためのアナログ／デジタル変換器（２８）と、目覚信号を検出するための検出回路（４０）と、前記デジタル信号に同期させるための同期回路（３５）と、前記デジタル信号におけるエコー信号を消去するためのエコー消去回路（２１）と、前記デジタル信号を等化するためのイコライザー（３３）と、前記等化したデジタル信号をデスクランブルするためのデスクランブラー（３７）と、制御器（１０）と、を備える。前記制御器（１０）は、目覚信号が前記検出回路（４０）によって検出された後又は暖始動要求信号が受信された後、エコー調整信号（ＷＥＣＬ）がｘＤＳＬトランシーバー（１）によって前記データ伝送線（２６）を介して送出されるように、前記符号器（１７）を制御する。前記制御器（１０）は、前記エコー消去回路（２１）の設定を示す第１の指示信号（ＷＥＣＯＫ）を前記エコー消去回路（２１）から受信した後、発生した同期データ・シーケンスが前記スクランブラー（１３）に切り替えられるように、前記マルチプレクサー（３）を駆動し、前記同期データ・シーケンスは、前記ｘＤＳＬトランシーバー（１）によって前記データ伝送線（２６）を介して同期信号（ＷＳＬ）として送出され、前記遠隔ｘＤＳＬトランシーバーを同期させる。前記制御器（１０）は、前記同期回路（３５）の受信デジタル信号との同期を示す第２の指示信号（ＷＳＹＮＣＯＫ）を前記同期回路（３５）から
受信した後、そして前記イコライザー（３３）の設定を示す第３の指示信号（ＷＥＱＯＫ）を前記イコライザー（３３）から受信した後、発生した同期データ・シーケンスが前記スクランブラー（１３）に切り替えられるように、前記マルチプレクサー（３）を駆動し、前記同期データ・シーケンスは、前記ｘＤＳＬトランシーバー（１）によって前記データ伝送線（２６）を介して前記遠隔ｘＤＳＬトランシーバーに指示信号（ＷＯＫ）として送出され、そして前記遠隔ｘＤＳＬトランシーバーに対して前記ｘＤＳＬトランシーバー（１）は使用者データのデータ伝送の用意ができていることを示す。
【発明を実施するための最良の形態】
【００１８】
本発明によるデータ伝送連結を確立するための好ましい実施例及びｘＤＳＬトランシーバーの好ましい実施例は、本発明の本質である特徴を説明する図面を参照して記載する。
【００１９】
図４は、本発明によるｘＤＳＬトランシーバーのブロック図である。ｘＤＳＬトランシーバー１は、デジタル使用者データを受信するための少なくとも一つの信号入力端子２を有する。デジタル使用者データは、データ端子又はデータネットワークのいずれから来る。ｘＤＳＬトランシーバー１は、制御可能なマルチプレクサー３も備えている。マルチプレクサー３は第１の入力４を有しており、その第１の入力４は、線５を介して使用者データ用の信号入力端子２に接続されている。更に、マルチプレクサー３は、第２の入力端子６を有しており、その入力端子６は、線７を介して信号データ発生器８に接続されている。マルチプレクサー３は、線９を介してｘＤＳＬトランシーバー１の内部制御器１０によってオン／オフされる。マルチプレクサー３は信号出力端子１１を備えており、その信号出力端子１１は、線１２を介してスクランブラー（Ｓｃｒａｍｂｌｅｒ）１３に接続されている。
【００２０】
スクランブラー１３の出力は、線１４を介してマッピング・ユニット（Ｍａｐｐｉｎｇｅｉｎｈｅｉｔ）１５に接続されていて、スクランブルされたデジタル・データをマップ（ｍａｐ）する。マッピング・ユニット１５の出力は、線１６を介して符号器１７に接続されていて、マップされたデータを符号化している。
【００２１】
本発明によるｘＤＳＬトランシーバーの好ましい実施例において、符号器１７は、いわゆるトムリンソン（Ｔｏｍｌｉｎｓｏｎ）符号器である。符号化されたデータは、線１８を介してデジタル／アナログ変換器１９に転送され、そして線２０を介してエコー消去回路２１に転送される。デジタル／アナログ変換器１９は、符号化されたデータをアナログ信号に変換し、そのアナログ信号は、内部線２２を介して、ｘＤＳＬトランシーバー１の駆動回路２３に与えられている。駆動回路２３は、アナログ信号を増幅し、線２４を介して増幅したアナログ信号をハイブリッド回路２５に出力している。ハイブリッド回路２５は、ｘＤＳＬトランシーバー１とデータ伝送線２６との間を接続している。データ伝送線２６は銅線対であることが望ましい。
【００２２】
ハイブリッド回路２５は、線２７を介してアナログ／デジタル変換器２８に接続されていて、アナログ／デジタル変換器２８は、アナログ信号をデジタル信号に変換して、線２９を介して減算器３０に出力する。減算器３０は、受信したデジタル・データから、線３１を介して接続されたエコー消去回路２１の出力信号を減算する。減算器３０には、線３２を介してイコライザー３３が接続されている。イコライザー３３は、遠端の信号回復のために使用されており、発生している信号の歪を等化する。減算器３０の出力信号は、線３４を介してｘＤＳＬトランシーバー１の同期回路３５に付与される。同期回路３５は、受信した信号に対してｘＤＳＬトランシーバー１を同期するために使用される。同期回路３５には、線３６を介して復号化及びデスクランブラー（Ｄｅｓｃｒａｍｂｌｅｒ）３７に接続されている。復号化／デスクランブラー３７は、等化データを復号化及びデスクランブル（ｄｅｓｃｒａｍｂｅｌｔｅｎ）して、線３８を介してデスクランブルしたデータ
をｘＤＳＬトランシーバー１の信号出力３９に出力する。
【００２３】
ｘＤＳＬトランシーバー１は、受信した目覚信号を検出するための検出回路４０も備えている。目覚信号又は目覚トーン信号がデータ伝送線２６を介して受信されたとき、検出回路４０は、線４１を介して制御器１０に検出信号を出力している。制御器１０は、線４２を介して信号データ発生器８を制御する。更に、制御器１０は、線４３を介して符号器１７を制御する。エコー消去回路２１及びイコライザー回路３３は、各々の場合、表示線４４、４５を介して制御器１０に対して、その回路は自己の基準に従って設定されたと知らせる。エコー消去回路２１は、それが集中したとき、即ち、残余エコー信号が閾値以下であるとき表示線４４を介して表示する。
【００２４】
イコライザー回路３３は、遠端の信号が十分に等化されて、イコライザー回路３３が設定されたとき、線４５を介して制御器１０に対して知らせる。
【００２５】
更に、同期回路３５は、受信したデータ信号に対する適切な同期が生じたとき、線４６を介して制御器１０に対して知らせる。更に、制御器１０は、線４７を介して暖始動要求信号を受け取る。
【００２６】
図５及び図６は、本発明によるｘＤＳＬトランシーバーを２台用いて、その間にデータ伝送連結を確立するための本発明による方法のシーケンスを示す。
【００２７】
最初に、ｘＤＳＬトランシーバー１の一方が目覚信号ＷＷＵＮを送出して、他方のトランシーバーを目覚めさせるが、他方のトランシーバーは、目覚信号ＷＷＵＬを送出してその目覚信号の受信を認める。
【００２８】
ある待機時間ＴＷＳの後、本発明による同期シーケンスがデータ伝送連結の確立と共に開始する。ステップＳ１において、第１のｘＤＳＬトランシーバー１−１のエコー消去回路２１−１が設定されるまで、第１のｘＤＳＬトランシーバー１−１は、エコー調整信号ＷＥＣＬを第２のｘＤＳＬトランシーバー１−２に送出する。そのプロセスの間、第２のｘＤＳＬトランシーバー１−２は、このエコー調整信号ＷＥＣＬに対してそれ自身を同期させる。この期間中、第２のｘＤＳＬトランシーバー１−２は信号を送出しない。
【００２９】
エコー消去回路２１−１が一旦設定されたとき、ｘＤＳＬトランシーバー１−１は同期信号ＷＳＬを送出する。この同期信号ＷＳＬは、エコー調整信号ＷＥＣＬとは異なり、そして第１のｘＤＳＬトランシーバー１−１のエコー消去回路２１―１が設定されたことを第２のｘＤＳＬトランシーバー１−２に対して知らせる。この目的のため、制御器１０は、線７を介してマルチプレクサー３の入力端子６に異なる信号データ・シーケンスを与えるように、制御線４２を介して信号データ発生器８を駆動する。マルチプレクサー３は、発生した信号データ・シーケンスがマルチプレクサー３の出力１１に通じるように、制御線７を介して制御器によってオン／オフされる。マルチプレクサー３の使用者データ入力４は、このシーケンス中阻止される。発生した信号データ・シーケンスは、スクランブラー１３によってスクランブルされて、その後マッピング・ユニット１５によってされる。マップされた信号データは、符号器１７によって符号化され、そしてデジタル／アナログ変換器１９によって第１の同期信号ＷＳＬに変換される。
【００３０】
データ伝送線２６の他の端部において第２のｘＤＳＬトランシーバー１−２が、第１の同期信号ＷＳＬによって完全に同期されていて、そして所定のデータ・ビット・シーケンスとの比較などによって第１の同期信号ＷＳＬを認識しているとき、第２のｘＤＳＬトランシーバー１−２は、第２の同期信号ＷＳＮを第１のｘＤＳＬトランシーバー１−１に送出して、第１のｘＤＳＬトランシーバー１−１を同期化する。このプロセス中、第２の同
期信号ＷＳＮは、第２のｘＤＳＬトランシーバー１−２のエコー消去回路２１−２が設定されるまで、第２のｘＤＳＬトランシーバー１−２によって第１のｘＤＳＬトランシーバー１−１に送出される。
【００３１】
第２のｘＤＳＬトランシーバー１−２は、その後第１の指示信号ＷＯＫＮを第１のｘＤＳＬトランシーバー１−１に送出する。この第１の指示信号ＷＯＫＮは、第２のｘＤＳＬトランシーバー１−２のエコー消去回路２１−２が設定され、かつ、第２のｘＤＳＬトランシーバー１−２が同期されていることを、第１のｘＤＳＬトランシーバー１−１に対して示す。逆に、第１のｘＤＳＬトランシーバー１−１は、第２の指示信号ＷＯＫＬを第２のｘＤＳＬトランシーバー１−２に対して送出する。この第２の指示信号ＷＯＫＬは、第１のｘＤＳＬトランシーバー１−１が第１の指示信号ＷＯＫＮを受信したとき第１のｘＤＳＬトランシーバー１−１が同期されていることを、第２のｘＤＳＬトランシーバー１−２に対して示す。
【００３２】
本発明による方法の好ましい実施例において、伝送信号は、符号器１７によってトムリンソン（Ｔｏｍｌｉｎｓｏｎ）符号化される。トムリンソンの前符号化が生じない場合、図５に示すように更なる同期シーケンスが必要とされる。信号ＷＳＮ２、ＷＳＬ２、ＷＯＫＮ２、ＷＯＫＬ２は、同期シーケンス１の非トムリンソン前符号化信号と同一である。しかし、その信号は、同期シーケンスにおいてはトムリンソン前符号化されている。
【００３３】
図３及び図５のタイミング図を比較することによって理解できるように、必要とされる暖始動時間ｔｗａｒｍ  ｓｔａｒｔ  は、図３に示す従来の方法よりも、特に信号データのトムリンソン符号化に関して、データ伝送連結を確立するための本発明による方法の方がずっと短い。
【００３４】
本発明による方法においては、エコー調整信号ＷＥＣＬは、遠隔トランシーバー１が既にそれと同期できるように構成される。本発明による方法においては、エコー調整信号ＷＥＣは、二重の機能を果たす。一方、エコー調整信号ＷＥＣＬは、エコー消去回路２１を調整するために使用され、他方、同期回路３５を通じて他のｘＤＳＬトランシーバー１を同期化するために使用される。必要である場合、遠隔トランシーバー１は、その後第１の同期信号ＷＳＬによって完全に同期化される。その第１の同期信号ＷＳＬは、エコー調整信号ＷＥＣＬと相違する。以前の方法とは対照的に、時間ｔＥＣＬは、本発明による方法において一定の時間として前もって決定されていない。エコー消去回路２１が、完全に設定され、かつ、指示線４４を介して制御器１０に対してそれらを示すまで、エコー調整信号ＷＥＣＬはｘＤＳＬトランシーバー１によって送出される。その後、第１の同期信号ＷＳＬに対して別の信号データ・シーケンスを発生する態様で、制御器１０は、制御線４２を介して信号データ発生器８を駆動する。本発明による方法においては、同期シーケンス内でエコー信号の消去が行われ、その結果必要な暖始動時間ｔｗａｒｍ  ｓｔａｒｔが相当減少する。
【００３５】
図６は、本発明による方法を説明するためのフローチャートであって、二つの通信用トランシーバーＮＴＵ、ＬＴＵの状態を示す。その二つのトランシーバーは、最初は、待機状態、即ち電力節約状態にある。トランシーバーの制御器１０が、線４７を介して暖始動要求信号を受信したとき、又はデータ伝送線２６を介して他方のｘＤＳＬトランシーバー１から発する目覚信号を検出したとき、トランシーバーは待機状態を脱する。
【００３６】
目覚信号を交換した後、スイッチ端末ＬＴＵのモデムは、図６に示されたシーケンスにおけるエコー調整信号ＷＥＣＬを送出するが、そのエコー調整信号ＷＥＣＬに対して加入者端末ＮＴＵのモデムは同期できる。スイッチ端末ＬＴＵにおけるトランシーバーは、エコー調整信号ＷＥＣＬによってエコー消去回路２１を調整する。エコー消去回路２１が一
旦設定されると、このことは制御器１０に報告され、制御器１０は信号データ発生器８を駆動して、別の信号データ・シーケンスを発生させる。
【００３７】
スイッチ端末ＬＴＵにおけるトランシーバー１は、その後、データ伝送線２６を介して同期信号ＷＳＬを送出する。その同期信号ＷＳＬは、他方のトランシーバー１のイコライザー３５を調整する。イコライザー３５を設定し、同期信号ＷＳＬを検出した後、加入者端末ＮＴＵにおけるトランシーバー１は、別の動作状態に変わり、同期信号ＷＳＮを送出する。この信号ＷＳＮは、スイッチ端末ＬＴＵにおけるトランシーバーによって受信され、そしてトランシーバーＬＴＵは、受信された同期信号ＷＳＮに同期する。このシーケンスの間、加入者端末ＮＴＵにおけるトランシーバーのエコー消去回路ＥＣＮが調整される。
【００３８】
エコー消去回路ＥＣＮが調整された後、加入者端末ＮＴＵにおけるトランシーバーは、データ伝送線２６を介して指示信号ＷＯＫＮを送出する。スイッチ端末ＬＴＵのモデムのイコライザー３３が設定され、そしてＬＴＵトランシーバーが他方の指示信号ＷＯＫＮを検出した場合、指示信号ＷＯＫＬを対向するトランシーバーに送出する。加入者端末ＮＴＵにおけるトランシーバーが指示信号ＷＯＫＬを一旦検出したとき、両方のトランシーバーは、データ伝送線２６を介して使用者データを交換する用意ができている。
【００３９】
本発明による方法は、２台のｘＤＳＬトランシーバー１間のハンドシェーク方法である。この方法においては、タイミング条件は、推測的に前もって決定されていない。各トランシーバーの作動変化は、内部状況に加えて遠隔トランシーバーからの制御信号によって制御される。この過程で、情報の交換又は制御信号による不要な時間の損失は、シーケンスの並列処理によって最小化される。両方のトランシーバーは、反対の端末からの制御信号がなくても、自己のエコー消去回路２１に調整することができる。同時に、反対の端末では、同期化され、そして適合される。
【図面の簡単な説明】
【００４０】
【図１】従来技術によるデータ伝送連結を示す図。
【図２】従来のトランシーバーの回路構成を示す図。
【図３】従来技術によるデータ伝送連結の確立を示すタイミング図。
【図４】本発明によるｘＤＳＬトランシーバーのブロック図。
【図５】本発明による方法を説明するための状態図であって、データ伝送連結の確立を示す図。
【図６】本発明による方法を説明するためのフローチャートであって、二つのｘＤＳＬトランシーバー間のデータ伝送連結の確立を示す図。
【図１】
2005515711.tif 000003
【図２】
2005515711.tif 000004
【図３】
2005515711.tif 000005
【図４】
2005515711.tif 000006
【図５】
2005515711.tif 000007
【図６】
2005515711.tif 000008
【国際調査報告】
2005515711.tif 000009
2005515711.tif 000010
2005515711.tif 000011
2005515711.tif 000012